(57)【要約】【課題】テレビと、無線親機と、無線子機とを備えるモニタシステムの消費電力を低減する。【解決手段】モニタシステム１は、デジタルテレビ１０と、デジタルテレビ１０とＨＤＭＩケーブル２０で接続された親機３２と、それぞれ親機３２と無線通信する第１の子機３６ａ、第２の子機３６ｂ、第３の子機３６ｃとを備える。各子機は、温度センサ５０などの接続先の機器からデジタルテレビ１０の出力対象となるデータを取得し、無線送信する。デジタルテレビ１０は、デジタルテレビ１０の各部への電源供給状態（動作モード）に応じて、各子機の無線送信頻度を変更する命令を送信させる制御命令を親機３２に送信する。各子機は、制御命令に基づいて親機３２が送信した命令を受信し、無線送信頻度を変更する。【選択図】図１
2009273014.tif 000002
【特許請求の範囲】
【請求項１】
テレビと、前記テレビに接続された無線親機と、無線子機とを備えるモニタシステムであって、
前記テレビは、
前記無線親機から表示データを受信するデータ受信部と、
ディスプレイと、
前記ディスプレイに前記表示データに基づく画像を表示させるための第１の制御部と、
前記テレビを、前記ディスプレイおよび前記第１の制御部に電力が供給されている電源オンモードと、前記ディスプレイおよび前記第１の制御部に電力が供給されていないスタンバイモードとを含む複数の動作モードのいずれかで駆動する電源部と、
前記動作モードを検出するモード検出部と、
前記無線親機との間で制御命令の送受を行なうテレビ命令部と、
前記テレビ命令部に、前記動作モードが前記電源オンモードである場合、前記無線子機に所定の頻度で前記表示データを送信させるための前記制御命令を送信させ、前記動作モードが前記スタンバイモードである場合、前記無線子機に前記所定の頻度より低い頻度で前記表示データを送信させるための前記制御命令を送信させる第２の制御部とを含み、
前記無線親機は、
前記テレビとの間で前記制御命令の送受を行なう親機命令部と、
前記制御命令に基づく親機命令を無線送信し、前記無線子機から前記表示データを無線受信する親機通信部と、
前記無線子機から受信した前記表示データを前記テレビに送信するデータ送信部とを含み、
前記無線子機は、
前記無線子機に接続された機器から前記表示データを取得するデータ取得部と、
前記親機命令を無線受信し、無線送信する頻度を前記親機命令に基づいて変更して、前記データ取得部が取得した前記表示データを無線送信する子機通信部とを含む、モニタシステム。
【請求項２】
前記第１の制御部は、前記ディスプレイに表示される画像データの入力ポートを複数の入力ポートの中から選択し、
前記第２の制御部は、前記命令送信部に、前記動作モードが前記電源オンモードであり、かつ、選択された前記入力ポートが前記データ受信部である場合、前記無線子機に第１の頻度で前記表示データを送信させるための前記制御命令を送信させ、前記動作モードが前記電源オンモードであり、かつ、選択された前記入力ポートが前記データ受信部でない場合、前記無線子機に前記第１の頻度より低い第２の頻度で前記表示データを送信させるための前記制御命令を送信させ、前記動作モードが前記スタンバイモードである場合、前記無線子機に前記第２の頻度より低い第３の頻度で前記表示データを送信させるための前記制御命令を送信させる、請求項１に記載のモニタシステム。
【請求項３】
前記無線子機に接続されたセキュリティセンサをさらに備え、
前記セキュリティセンサは、所定の異常を検知すると、異常検知信号を出力し、
前記データ取得部は、前記異常検知信号を受信し、
前記子機通信部は、前記データ取得部が前記異常検知信号を受けると、異常報知信号を送信し、
前記親機通信部は、前記異常報知信号を受信し、
前記親機命令部は、前記異常報知信号に基づいて、前記テレビに前記動作モードを前記電源オンモードに切り替えさせるための切替命令を前記テレビに送信し、
前記命令制御部は、前記切替命令に基づいて前記電源部の動作を制御する、請求項１または２に記載のモニタシステム。
【請求項４】
前記無線子機は、乾電池により駆動する、請求項１から３のいずれか１項に記載のモニタシステム。
【請求項５】
前記無線親機および前記無線子機は、Ｚｉｇｂｅｅ機器である、請求項１から４のいずれか１項に記載のモニタシステム。
【請求項６】
前記テレビと前記無線親機とは、ＨＤＭＩケーブルで接続されている、請求項１から５のいずれか１項に記載のモニタシステム。
【請求項７】
前記制御命令は、ＣＥＣ信号である、請求項６に記載のモニタシステム。
【請求項８】
テレビであって、
無線親機から、無線子機が前記無線子機に接続されている機器から取得した表示データを受信するデータ受信部と、
ディスプレイと、
前記ディスプレイに前記表示データに基づく画像を表示させるための第１の制御部と、
前記テレビを、前記ディスプレイおよび前記第１の制御部に電力が供給されている電源オンモードと、前記ディスプレイおよび前記第１の制御部に電力が供給されていないスタンバイモードとを含む複数の動作モードのいずれかで駆動する電源部と、
前記動作モードを検出するモード検出部と、
前記無線親機との間で制御命令の送受を行なうテレビ命令部と、
前記テレビ命令部に、前記動作モードが前記電源オンモードである場合、前記無線子機に所定の頻度で前記表示データを送信させるための前記制御命令を送信させ、前記動作モードが前記スタンバイモードである場合、前記無線子機に前記所定の頻度より低い頻度で前記表示データを送信させるための前記制御命令を送信させる第２の制御部とを備える、テレビ。
【請求項９】
テレビが表示する表示データを送信する無線子機であって、
前記無線子機に接続された機器から前記表示データを取得するデータ取得部と、
前記テレビのディスプレイおよび前記ディスプレイに画像を表示させるための第１の制御部に電力が供給されている場合に前記テレビが送信する、前記無線子機に所定の頻度で前記表示データを送信させるための制御命令、および、前記無線子機に前記所定の頻度より低い頻度で前記表示データを送信させるための制御命令に基づいて前記無線親機が作成し、無線送信した親機命令を無線受信し、前記データ取得部が取得した前記表示データを前記親機命令に基づく頻度で無線送信する子機通信部とを備える、無線子機。
【請求項１０】
テレビと、前記テレビに接続された無線親機と、無線子機とを備えるモニタシステムの制御方法であって、
前記テレビが、ディスプレイおよび前記ディスプレイに画像を表示させるための第１の制御部に電力が供給されている電源オンモードと、前記ディスプレイおよび前記第１の制御部に電力が供給されていないスタンバイモードとのいずれで駆動しているかを判定するステップと、
前記動作モードが前記電源オンモードである場合、前記テレビに、前記無線子機に所定の頻度で前記表示データを送信させるための制御命令を前記無線親機に向けて送信させ、前記動作モードが前記スタンバイモードである場合、前記テレビに、前記無線子機に前記所定の頻度より低い頻度で前記表示データを送信させるための制御命令を前記無線親機に向けて送信させるステップと、
前記無線親機に、前記制御命令に基づく親機命令を無線送信させるステップと、
前記無線子機に、無線受信した前記親機命令に基づく頻度で、前記データ取得部が取得した前記表示データを無線送信させるステップとを備える、モニタシステムの制御方法。
【発明の詳細な説明】
【技術分野】
【０００１】
本発明は、無線モジュールおよび無線モジュールからの信号に応じた画像を表示するテレビとを備えるモニタシステムに関し、特に、モニタシステムの省電力化に関する。
【背景技術】
【０００２】
現在、電気機器は、複数組み合わされて用いられることが多い。例えば、テレビとディスクプレーヤなどの機器とを組み合わせたシステムは、広く利用されている。従来、このようなシステムの消費電力を抑える技術は、いくつも提案されている。
【０００３】
特許文献１（特開２００７−２７４２９６号公報）に開示されている映像再生装置（例えば、ディスクプレーヤ）は、外部機器がデジタルインターフェースケーブルを経て入力端子へ向けて外部信号を送信しうるとともに、映像表示装置（例えば、テレビジョン受像機）が出力端子から出力される信号を受信しうる接続状態であることを検出する検出回路を備える。そして、スタンバイモードが設定されたとき、検出回路によって接続状態が検出された場合には、信号切替回路の電源をオンとし、検出回路によって接続状態が検出されなかった場合には、信号切替回路の電源をオフとする。特許文献１に記載の映像再生装置によれば、映像再生装置のスタンバイモード時の消費電力を抑制することができる。
【０００４】
特許文献２（特開２００２−２９０２５２号公報）に開示されているテレビジョン放送受信機は、外部機器との接続状態に基づいて、テレビジョン放送受信機の各部への電源供給を制御する電源供給手段を制御する制御手段を備える。特許文献２に記載の発明によれば、例えば、テレビジョン放送受像機と外部のディスプレイ装置との接続が完全でない場合において、回路を部分的にパワーダウン制御することにより、テレビジョン放送受像機の消費電力を低減することができる。
【０００５】
また、特許文献３（特開２００２−１３５６８３号公報）には、テレビジョン受像機の電源オン／オフを検知する検知装置が開示されている。この検知装置は、テレビジョン受像機の電源がオンのときにテレビジョン受像機内の映像信号回路や音声信号回路から発振される発振信号を受信可能な検知部（例えばループアンテナ）を備え、発振信号の有無によりテレビジョン受像機の電源状態を判断する。
【０００６】
ところで、近年、家庭内の各種電気機器の操作のため、電気機器とテレビとを組み合わせ、テレビに電気機器の状態等を表示させるシステム（モニタシステムとよぶ）を構築することが提案されている。
【０００７】
特許文献４（特開２００３−３２４７８０号公報）には、各種機器と無線接続され、各種機器の遠隔操作時に、各種機器の現在の状態、設定内容等を表示するテレビジョン受像機が開示されている。
【０００８】
特許文献５（特開平１１−６９４６２号公報）には、住居内のバスを介して複数の機器と接続されており、接続先の複数の機器の動作状態の確認や設定を行なう手段を備えたテレビジョン受像機が開示されている。
【特許文献１】特開２００７−２７４２９６号公報
【特許文献２】特開２００２−２９０２５２号公報
【特許文献３】特開２００２−１３５６８３号公報
【特許文献４】特開２００３−３２４７８０号公報
【特許文献５】特開平１１−６９４６２号公報
【発明の開示】
【発明が解決しようとする課題】
【０００９】
特許文献４に記載のようなテレビと無線モジュールからなるシステムにおいても、消費電力を低下することは、重要な課題である。特に、無線モジュールの子機には、電源のない場所に設置できるように、乾電池で駆動するものがある。このような子機を用いる場合には、乾電池交換の手間を削減するためにも、無線モジュールの子機の省電力化が重要となる。
【００１０】
ところが、特許文献１や特許文献２に記載の技術を用いたとしても、テレビと無線モジュールとからなるシステムの省電力化は困難である。これらの文献に記載の技術は、無線接続された機器の省電力化を実現するものではない。
【００１１】
本発明は、上記のような問題を解決するためになされたものであって、テレビと、無線親機と、無線子機とを備えるモニタシステムの消費電力を低減することを課題とする。
【課題を解決するための手段】
【００１２】
１つの局面に係る本願発明は、テレビと、テレビに接続された無線親機と、無線子機とを備えるモニタシステムであって、テレビは、無線親機から表示データを受信するデータ受信部と、ディスプレイと、ディスプレイに表示データに基づく画像を表示させるための第１の制御部と、テレビを、ディスプレイおよび第１の制御部に電力が供給されている電源オンモードと、ディスプレイおよび第１の制御部に電力が供給されていないスタンバイモードとを含む複数の動作モードのいずれかで駆動する電源部と、動作モードを検出するモード検出部と、無線親機との間で制御命令の送受を行なうテレビ命令部と、テレビ命令部に、動作モードが電源オンモードである場合、無線子機に所定の頻度で表示データを送信させるための制御命令を送信させ、動作モードがスタンバイモードである場合、無線子機に所定の頻度より低い頻度で表示データを送信させるための制御命令を送信させる第２の制御部とを含み、無線親機は、テレビとの間で制御命令の送受を行なう親機命令部と、制御命令に基づく親機命令を無線送信し、無線子機から表示データを無線受信する親機通信部と、無線子機から受信した表示データをテレビに送信するデータ送信部とを含み、無線子機は、無線子機に接続された機器から表示データを取得するデータ取得部と、親機命令を無線受信し、無線送信する頻度を親機命令に基づいて変更して、データ取得部が取得した表示データを無線送信する子機通信部とを含む。
【００１３】
好ましくは、第１の制御部は、ディスプレイに表示される画像データの入力ポートを複数の入力ポートの中から選択し、第２の制御部は、テレビ命令部に、動作モードが電源オンモードであり、かつ、選択された入力ポートがデータ受信部である場合、無線子機に第１の頻度で表示データを送信させるための制御命令を送信させ、動作モードが電源オンモードであり、かつ、選択された入力ポートがデータ受信部でない場合、無線子機に第１の頻度より低い第２の頻度で表示データを送信させるための制御命令を送信させ、動作モードがスタンバイモードである場合、無線子機に第２の頻度より低い第３の頻度で表示データを送信させるための制御命令を送信させる。
【００１４】
好ましくは、無線子機に接続されたセキュリティセンサをさらに備え、セキュリティセンサは、所定の異常を検知すると、異常検知信号を出力し、データ取得部は、異常検知信号を受信し、子機通信部は、データ取得部が異常検知信号を受けると、異常報知信号を送信し、親機通信部は、異常報知信号を受信し、親機命令部は、異常報知信号に基づいて、テレビに動作モードを電源オンモードに切り替えさせるための切替命令をテレビに送信し、命令制御部は、切替命令に基づいて電源部の動作を制御する。
【００１５】
好ましくは、無線子機は、乾電池により駆動する。
好ましくは、無線親機および無線子機は、Ｚｉｇｂｅｅ機器である。
【００１６】
好ましくは、テレビと無線親機とは、ＨＤＭＩケーブルで接続されている。
さらに好ましくは、制御命令は、ＣＥＣ信号である。
【００１７】
他の局面に係る本願発明は、テレビであって、無線親機から、無線子機が無線子機に接続されている機器から取得した表示データを受信するデータ受信部と、ディスプレイと、ディスプレイに表示データに基づく画像を表示させるための第１の制御部と、テレビを、ディスプレイおよび第１の制御部に電力が供給されている電源オンモードと、ディスプレイおよび第１の制御部に電力が供給されていないスタンバイモードとを含む複数の動作モードのいずれかで駆動する電源部と、動作モードを検出するモード検出部と、無線親機との間で制御命令の送受を行なうテレビ命令部と、テレビ命令部に、動作モードが電源オンモードである場合、無線子機に所定の頻度で表示データを送信させるための制御命令を送信させ、動作モードがスタンバイモードである場合、無線子機に所定の頻度より低い頻度で表示データを送信させるための制御命令を送信させる第２の制御部とを備える。
【００１８】
さらに他の局面に係る本願発明は、テレビが表示する表示データを送信する無線子機であって、無線子機に接続された機器から表示データを取得するデータ取得部と、テレビのディスプレイおよびディスプレイに画像を表示させるための第１の制御部に電力が供給されている場合にテレビが送信する、無線子機に所定の頻度で表示データを送信させるための制御命令、および、無線子機に所定の頻度より低い頻度で表示データを送信させるための制御命令に基づいて無線親機が作成し、無線送信した親機命令を無線受信し、データ取得部が取得した表示データを親機命令に基づく頻度で無線送信する子機通信部とを備える。
【００１９】
さらに他の局面に係る本願発明は、テレビと、テレビに接続された無線親機と、無線子機とを備えるモニタシステムの制御方法であって、テレビが、ディスプレイおよびディスプレイに画像を表示させるための第１の制御部に電力が供給されている電源オンモードと、ディスプレイおよび第１の制御部に電力が供給されていないスタンバイモードとのいずれで駆動しているかを判定するステップと、動作モードが電源オンモードである場合、テレビに、無線子機に所定の頻度で表示データを送信させるための制御命令を無線親機に向けて送信させ、動作モードがスタンバイモードである場合、テレビに、無線子機に所定の頻度より低い頻度で表示データを送信させるための制御命令を無線親機に向けて送信させるステップと、無線親機に、制御命令に基づく親機命令を無線送信させるステップと、無線子機に、無線受信した親機命令に基づく頻度で、データ取得部が取得した表示データを無線送信させるステップとを備える。
【発明の効果】
【００２０】
本発明によれば、テレビの動作モードに応じて、無線子機から無線親機への通信頻度を変更することができる。その結果、テレビと、無線親機と、無線子機とを備えるモニタシステムの消費電力を削減することができる。
【発明を実施するための最良の形態】
【００２１】
以下、図面を参照しつつ、本発明の実施の形態について説明する。以下の説明では、同一の部分には同一の符号を付してある。それらの名称および機能も同じである。したがってそれらについての詳細な説明は繰り返さない。
【００２２】
（１．システムの概要）
図１を参照して、本実施の形態に係るモニタシステム１の概要について説明する。図１は、本実施の形態に係るモニタシステム１の概要を説明するための模式図である。
【００２３】
モニタシステム１は、デジタルテレビ１０と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル２０と、無線モジュール群３０と、家電機器４０と、温度センサ５０と、家屋６０に設置されたセキュリティセンサ７０（図１では図示していない）を備える。
【００２４】
無線モジュール群３０は、親機３２と、中継機３４と、第１の子機３６ａと、第２の子機３６ｂと、第３の子機３６ｃとを含む。無線モジュール群３０に含まれる各機器は、無線通信に要する消費電力が小さいＺｉｇｂｅｅ（登録商標）規格に基づいて無線通信を行なうＺｉｇｂｅｅ（登録商標）機器であるものとする。また、第１の子機３６ａと、第２の子機３６ｂと、第３の子機３６ｃは乾電池により駆動するものとする。
【００２５】
親機３２は、無線信号を送信し、無線モジュール群３０に含まれる中継機３４、第１の子機３６ａ、第２の子機３６ｂ、第３の子機３６ｃの動作を統括的に制御する。また、親機３２は、中継機３４、第１の子機３６ａ、第２の子機３６ｂ、第３の子機３６ｃからの無線信号を受信する。さらに、親機３２は、ＨＤＭＩケーブル２０を介してデジタルテレビ１０と通信する。
【００２６】
中継機３４は、親機３２からの無線信号を第１の子機３６ａおよび第２の子機３６ｂに中継する。また、第１の子機３６ａおよび第２の子機３６ｂからの無線信号を親機３２に中継する。中継機３４は、無線信号を中継することで、親機３２からの無線信号を直接受信できない場所に設置されている子機と親機３２との間の通信を実現する。なお、親機３２と子機の位置関係によっては、中継機３４は必ずしも必要ではない。また、ここでは、中継機３４が１つある場合を示しているが、中継機３４は複数あってもよい。複数の中継機３４を介して、親機３２と子機との間の無線通信が行なわれてもよい。
【００２７】
第１の子機３６ａ、第２の子機３６ｂ、第３の子機３６ｃは、それぞれ、家電機器４０、温度センサ５０、家屋６０に設置されたセキュリティセンサ７０に接続されている。なお、以下では、第１の子機３６ａ、第２の子機３６ｂ、第３の子機３６を、これらを区別しない場合には、「子機３６」と呼ぶ。
【００２８】
第１の子機３６ａは、家電機器４０が出力する家電機器４０の設定や状態を含む家電機器４０に関するデータ（機器データとよぶ）を取得する。また、第１の子機３６ａは、家電機器４０の状態や設定についての情報を含む無線信号を送信する。
【００２９】
図１に示したように、家電機器４０としては、例えば、冷蔵庫４０ａ、テレビ４０ｂ、電子レンジ４０ｃ、洗濯機４０ｄ、オーディオ４０ｅを挙げることができる。ただし、家電機器４０は、これらに限られるわけではない。例えば、インターホン、電話、監視カメラなどを家電機器４０として用いることもできる。
【００３０】
家電機器４０の「設定」とは、ここでは、家電機器４０自身に設定され、家電機器４０の動作を決定するパラメータを指すものとする。例えば、冷蔵庫４０ａの庫内温度設定、テレビ４０ｂやオーディオ４０ｅの音量設定などが、「設定」に含まれる。
【００３１】
家電機器４０の「状態」とは、ここでは、家電機器４０自身に設定されるわけではないが、家電機器４０に備えられたセンサにより取得されるデータを指すものとする。例えば、冷蔵庫４０ａの実際の庫内温度、電子レンジ４０ｃ庫内にものがあるかどうか、などが、「状態」に含まれる。
【００３２】
第２の子機３６ｂは、温度センサ５０が検出した温度を取得する。また、第２の子機３６ｂは、温度センサ５０が検出した温度についての情報を含む無線信号を送信する。
【００３３】
第３の子機３６ｃは、セキュリティセンサ７０が検出したセキュリティセンサ７０周辺の情報を取得する。また、第３の子機３６ｃは、セキュリティセンサ７０周辺の状態についての情報を含む無線信号を送信する。
【００３４】
なお、モニタシステム１に含まれる子機３６の数は、３つでなくても構わない。モニタシステム１は、少なくとも１つの子機３６を含んでいればよい。
【００３５】
子機３６が、家電機器４０の設定や状態や、温度センサ５０が検出した温度、あるいは、セキュリティセンサ７０周辺の状態についての情報を含む無線信号を送信すると、親機３２は、送信された無線信号を受信し、ＨＤＭＩケーブル２０を介して、家電機器４０の設定や状態、温度センサ５０が検出した温度、セキュリティセンサ７０周辺の状態についての情報をデジタルテレビ１０に送信する。そして、デジタルテレビ１０は、親機３２から受信した情報を表わす画面を表示する。つまり、本モニタシステム１を用いると、デジタルテレビ１０により、遠隔地にある家電機器４０、温度センサ５０、セキュリティセンサ７０についての情報を得ることができる。
【００３６】
（２．デジタルテレビの構成）
デジタルテレビ１０のハードウェア構成を図２を参照して説明する。図２は、デジタルテレビ１０のハードウェア構成を示すブロック図である。
【００３７】
図４を参照して、デジタルテレビ１０は、メインマイコン２１０と、検出回路２１２と、ＲＡＭ２２０と、ＲＯＭ２３０と、レシーバ２４０と、ＣＥＣ回路２５０と、サブマイコン２５２と、サブＲＡＭ２５４と、サブＲＯＭ２５６と、電源回路２５８と、ＨＤＭＩ端子２６０と、ディスプレイ２７０と、ＬＶＤＳ（Ｌｏｗ  ｖｏｌｔａｇｅ  ｄｉｆｆｅｒｅｎｔｉａｌ  ｓｉｇｎａｌｉｎｇ）トランスミッタ２７２と、スピーカ２８０と、アンプ２８２と、リモコン受光部２９０とを含む。
【００３８】
メインマイコン２１０は、リモコン受光部２９０からの信号などに応じて、デジタルテレビ１０の各部の動作を制御する。特に、本実施の形態では、メインマイコン２１０は、ディスプレイ２７０やスピーカ２８０に出力させるデータを入力する入力ポートの選択も行なうものとする。図２には、デジタルテレビ１０の入力ポートとして、ＨＤＭＩ端子２６０しか示していないが、デジタルテレビ１０は、複数の入力ポートを備えており、メインマイコン２１０は、リモコン受光部２９０からの信号に基づいて、その中から用いる入力ポート（以下では、チャンネルとよぶこともある）を選択するものとする。入力ポートとしてＨＤＭＩ端子２６０が選択すると、ディスプレイ２７０は、子機３６の取得した情報に対応する画面を表示することになる。また、メインマイコン２１０は、選択された入力ポートを特定する情報（ＨＤＭＩ選局とよぶ）を、ＲＯＭ２３０に格納するものとする。検出回路２１２は、メインマイコン２１０へ供給される電流を検出する。
【００３９】
ＲＡＭ２２０は、メインマイコン２１０の処理にともない、一時的にデータを記憶する。ＲＯＭ２３０は、メインマイコン２１０の動作に必要なファームウェアなどを格納する。
【００４０】
レシーバ２４０は、親機３２からのデータを受信する。ＣＥＣ回路２５０は、ＣＥＣ信号の送受信を行なう。レシーバ２４０およびＣＥＣ回路２５０は、ＨＤＭＩ端子２６０に接続されている。ＨＤＭＩ端子２６０には、ＨＤＭＩケーブル２０が接続可能である。デジタルテレビ１０は、ＨＤＭＩ端子２６０の接続先の機器（ここでは、親機３２）と、ＨＤＭＩケーブル２０を介して、信号あるいはデータの送受信を行なう。
【００４１】
リモコン受光部２９０は、ユーザによる入力に応じてリモコン２９２が発信する電波を受信する。そして、受信した電波に応じた信号をメインマイコン２１０に送る。また、受信した電波がデジタルテレビ１０の電源状態の切替を指示するものである場合、リモコン受光部２９０は、電波に応じた信号をサブマイコン２５２に送る。
【００４２】
ディスプレイ２７０は、親機３２からのデータに基づく画像を表示する。ＬＶＤＳトランスミッタ２７２は、映像信号をディスプレイ２７０に伝送する。
【００４３】
スピーカ２８０は音声を出力する。アンプ２８２は、音声信号を増幅し、スピーカ２８０に出力する。
【００４４】
電源回路２５８は、デジタルテレビ１０の各部へ電力を供給する。電源回路２５８は、複数の形態にて各部へ電力を供給する。本実施の形態では、デジタルテレビ１０は、電力の供給形態に応じた電源オンモード、スタンバイモードのいずれかの電力供給状態（以下、動作モードとよぶ）で動作するものとする。電源オンモードでは、親機３２から受信したデータをすぐに表示できるように、電源回路２５８は、デジタルテレビ１０のすべての部分に電力を供給する。スタンバイモードでは、電源回路２５８は、少なくとも親機３２に命令を送信できるように、ＣＥＣ回路２５０と、サブマイコン２５２と、サブＲＡＭ２５４と、サブＲＯＭ２５６とに電力を供給するが、消費電力を抑えるため、メインマイコン２１０、ＲＡＭ２２０、ＲＯＭ２３０、ディスプレイ２７０、ＬＶＤＳトランスミッタ２７２、スピーカ２８０、アンプ２８２には電力を供給しないものとする。なお、本実施の形態では、電源回路２５８は、スタンバイモードにおいて、リモコン受光部２９０にも電源を供給するものとする。
【００４５】
ただし、電源回路２５８は、スタンバイモードにおいても、メインマイコン２１０、ＲＡＭ２２０、ＲＯＭ２３０、ディスプレイ２７０、ＬＶＤＳトランスミッタ２７２、スピーカ２８０、アンプ２８２の一部に電力を供給しても構わない。どの部分に電力を供給するかは、削減したい消費電力量や、スタンバイモードから電源オンモードへの切替時間などに応じて、適宜、定めることができる。もちろん、メインマイコン２１０、ＲＡＭ２２０、ＲＯＭ２３０、ディスプレイ２７０、ＬＶＤＳトランスミッタ２７２、スピーカ２８０、アンプ２８２のいずれにも電力を供給しない構成にしたとき、スタンバイモードにおける消費電力を最も少なくできる。
【００４６】
サブマイコン２５２は、電源回路２５８の動作モードを判断する。本実施の形態では、検出回路２１２の検出信号に基づいて、動作モードを判断する。また、判断結果をサブＲＡＭ２５４に格納する。
【００４７】
また、サブマイコン２５２は、本実施の形態では、リモコン受光部２９０からの信号に応じて動作モードを切り替えるものとする。ただし、動作モードの切替は、他の手段により実現されてもよい。例えば、電源回路２５８に、動作モードの切替スイッチが含まれており、利用者が、切替スイッチを操作して、動作モードを切り替えるという構成であってもよい。
【００４８】
なお、サブマイコン２５２による動作モードの判断方法は、上述のものに限られるわけではない。例えば、デジタルテレビ１０にディスプレイ２７０に供給される電流を検出する検出回路を設けて、その検出回路の検出信号に基づいて、動作モードを判断してもよい。また、本実施の形態のように、サブマイコン２５２が、リモコン受光部２９０からの信号に応じて動作モードを切り替える構成の場合、サブマイコン２５２は、リモコン受光部２９０から信号を受付けた回数や、最後に受付けたリモコン受光部２９０からの信号の内容に基づいて動作モードを判断してもよい。
【００４９】
図３は、デジタルテレビ１０の機能的構成を示すブロック図である。以下、図３を参照して、デジタルテレビ１０の機能的構成について説明する。
【００５０】
デジタルテレビ１０は、制御部３１０と、出力部３２０と、出力制御部３２２と、入力部３３０と、記憶部３４０と、通信部３５０と、電源制御部３６０と、電力供給部３７０とを備える。
【００５１】
制御部３１０は、入力部３３０の受け付けた指示等に基づいて、出力部３２０、記憶部３４０、通信部３５０を制御する。
【００５２】
入力部３３０は、外部からの指示を受け付ける。通信部３５０は、他の機器との通信を行なう。通信部３５０は、他の機器からの命令およびデータを受信する受信部３５２と、他の機器に命令およびデータを送信する送信部３５４とを含む。
【００５３】
出力部３２０は、外部に音声または映像を出力する。出力制御部３２２は、出力部３２０による音声または映像の出力を制御する。出力制御部３２２は、出力部３２０に出力させるデータを入力する入力ポートの選択も行なう。
【００５４】
記憶部３４０は、メインマイコン２１０の動作を制御するメインプログラム３４２と、サブマイコン２５２の動作を制御するサブプログラム３４４と、動作モード３４６と、出力制御部３２２により選択された入力ポートについての情報であるＨＤＭＩ選局３４８とを格納する。
【００５５】
電力供給部３７０は、出力部３２０、制御部３１０、出力制御部３２２、入力部３３０、記憶部３４０、通信部３５０、電源制御部３６０に電力を供給する。電源制御部３６０は、電力供給部３７０による電力の供給を制御する。
【００５６】
（３．無線モジュール群の構成）
図４は、無線モジュール群３０のハードウェア構成を示すブロック図である。以下、図４を参照して、無線モジュール群３０のハードウェア構成について説明する。図４では、無線モジュール群３０のうち、親機３２と、セキュリティセンサ７０に接続された第３の子機３６ｃとを示している。
【００５７】
親機３２は、マイコン４１０と、メモリ４２０と、無線通信回路４３０と、ＣＥＣ回路４４０と、トランスミッタ４４５と、ＨＤＭＩ端子４５０とを備える。
【００５８】
マイコン４１０は、ＣＥＣ回路４４０が受信した命令や無線通信回路４３０が受信した無線信号などに基づいて、親機３２の各部の動作を制御する。
【００５９】
メモリ４２０は、マイコン４１０の処理にともなう一時的なデータ、および、マイコン４１０の動作に必要なファームウェアなどを記憶する。
【００６０】
無線通信回路４３０は、各子機あるいは中継機３４に無線信号を送信する。また、各子機あるいは中継機３４からの無線信号を受信する。
【００６１】
ＣＥＣ回路４４０は、ＣＥＣ信号の送受信を行なう。トランスミッタ４４５は、データの送信を行なう。ＣＥＣ回路４４０およびトランスミッタ４４５は、ＨＤＭＩ端子４５０に接続されている。ＨＤＭＩ端子４５０には、ＨＤＭＩケーブル２０が接続可能である。親機３２は、ＨＤＭＩケーブル２０を介して、ＨＤＭＩ端子４５０の接続先の機器（ここでは、デジタルテレビ１０）との間で、信号あるいはデータの送受信を行なう。
【００６２】
第３の子機３６ｃは、マイコン５１０とメモリ５２０と無線通信回路５３０と、データ取得回路５４０とを備える。
【００６３】
マイコン５１０は、無線通信回路５３０が受信した無線信号などに基づいて、セキュリティセンサ７０の各部の動作を制御する。
【００６４】
メモリ５２０は、マイコン５１０の処理にともなう一時的なデータ、および、マイコン５１０の動作に必要なファームウェアなどを記憶する。
【００６５】
無線通信回路５３０は、親機３２あるいは中継機３４に無線信号を送信する。また、親機３２あるいは中継機３４からの無線信号を受信する。
【００６６】
データ取得回路５４０は、セキュリティセンサ７０からデータを、所定のタイミングで読み出す。
【００６７】
セキュリティセンサ７０は、異常検知回路７１０と、監視センサ７２０とを備える。監視センサ７２０は、監視対象に異常があるかを検知し、異常が発生したときに、異常検出信号を出力する。監視センサ７２０の具体的な構成は、セキュリティセンサ７０の種類によって変わる。例えば、窓の開閉状態を検知するセンサ、赤外線等により周囲の人を検知するセンサなどを監視センサ７２０として用いることができる。
【００６８】
異常検知回路７１０は、監視センサ７２０の出力状態に応じた信号を作成する。例えば、異常検知回路７１０は、監視センサ７２０の出力に応じて、異常の有無を表わすデジタル信号を作成する。なお、異常検知回路７１０は、監視センサ７２０の出力に応じて、異常の種類まで含めた信号を作成しても構わない。異常検知回路７１０は、例えば、信号の大きさや時間変化などに応じて、異常の有無あるいは種類を判定するものとする。
【００６９】
本実施の形態では、異常検知回路７１０は、監視センサ７２０が異常を検出した場合、異常検知信号をデータ取得回路５４０に送信するものとする。監視センサ７２０が、窓の開閉を検知するものである場合、異常検知回路７１０は、窓が不正に（例えば、セキュリティモードが設定されているときに）開けられたときに、異常検知信号を出力する。監視センサ７２０が、赤外線等により周囲の人を検知するものである場合、異常検知回路７１０は、周囲に人を検知したときに、異常検知信号を出力する。
【００７０】
ここでは、子機３６のハードウェア構成を、子機３６ｃを例に挙げて説明したが、子機３６ａおよび子機３６ｂの構成は、子機３６ｃの構成とほぼ同様である。温度センサ５０が接続される子機３６ｂは、セキュリティセンサ７０における異常検知回路７１０のかわりに、温度センサ５０が測定した周囲の温度を温度センサ５０から取得する。子機３６ａは、家電機器４０から、家電機器の状態や設定を取得する。子機３６ａは、家電機器の設定を、例えば、家電機器４０に備えられた、家電機器４０の設定を記録するメモリから取得する。また、子機３６ａは、家電機器の状態を、家電機器に備えられ家電機器の状態を監視するセンサから取得するものとする。そのようなセンサとしては、例えば、電源状態を検出する回路や、冷蔵庫４０ａの庫内温度計などを用いることができる。
【００７１】
（４．デジタルテレビによる命令の決定）
図５を参照して、デジタルテレビ１０の行なう処理の流れを説明する。図５は、デジタルテレビ１０が行なう処理を示したフローチャートである。
【００７２】
サブマイコン２５２は、ステップＳ１０１において、デジタルテレビ１０の動作モードが、電源オンモードであるかどうかを判定する。すでに述べたとおり、本実施の形態では、サブマイコン２５２は、検出回路２１２の出力に基づいて、動作モードを判定するものとする。
【００７３】
動作モードが電源オンモードでない場合、つまり、スタンバイモードである場合（ステップＳ１０１においてＮｏ）、サブマイコン２５２は、ステップＳ１０５の処理に進む。
【００７４】
動作モードが電源オンモードである場合（ステップＳ１０１においてＹｅｓ）、サブマイコン２５２は、ステップＳ１０３において、チャンネルを判定する。すなわち、ＲＯＭ２３０に格納されたＨＤＭＩ選局３４８に基づいて、選択されている入力ポートが、無線モジュール群３０と接続されたＨＤＭＩ端子２６０であるかを判断する。チャンネルの判定後、サブマイコン２５２は、ステップＳ１０５の処理に進む。
【００７５】
ステップＳ１０５において、サブマイコン２５２は、ＣＥＣ回路２５０を制御し、ステップＳ１０１における動作モードの判断結果、および、ステップＳ１０３におけるチャンネルの判定結果に基づいた命令を親機３２に送信する。
【００７６】
具体的には、サブマイコン２５２は、動作モードが電源オンモードであり、かつ、選択された入力ポートがＨＤＭＩ端子２６０である場合、各子機に第１の頻度でセンサの出力結果を無線送信させるための第１の命令をＣＥＣ回路２５０に送信させる。また、サブマイコン２５２は、動作モードが電源オンモードであり、かつ、選択された入力ポートがＨＤＭＩ端子２６０でない場合、各子機に第１の頻度より低い第２の頻度でセンサの出力結果を無線送信させるための第２の命令をＣＥＣ回路２５０に送信させる。また、サブマイコン２５２は、動作モードがスタンバイモードである場合、各子機に第２の頻度より低い第３の頻度でセンサの出力結果を無線送信させるための第３の命令をＣＥＣ回路２５０に送信させる。ここで、無線送信の頻度とは、無線送信の時間間隔のことを指す。
【００７７】
ステップＳ１０７において、サブマイコン２５２は、ステップＳ１０５における命令の送信後、動作モードの変更の有無を判断する。例えば、検出回路２１の検出信号の変化量が所定のしきい値以上になったときに、動作モードに変更があったと判断する。あるいは、サブマイコン２５２が、リモコン受光部２９０から動作モードを切り替える信号を受信したときに、動作モードに変更があったと判断してもよい。
【００７８】
動作モードに変更があった場合（ステップＳ１０７においてＹｅｓ）、サブマイコン２５２は、ステップＳ１１１の処理に進む。
【００７９】
動作モードに変更がない場合（ステップＳ１０７においてＮｏ）、ステップＳ１０９において、チャンネルの変更の有無を判断する。例えば、サブマイコン２５２は、所定の時間間隔でＲＯＭ２３０からＨＤＭＩ選局３４８を読出し、読み出したＨＤＭＩ選局３４８が、以前のものと異なる場合、チャンネルの変更があったと判断する。あるいは、サブマイコン２５２は、リモコン受光部２９０によりチャンネルを設定する命令が送信されたときに、チャンネルの変更があったと判断する。
【００８０】
チャンネルに変更があった場合（ステップＳ１０９においてＹｅｓ）、サブマイコン２５２は、ステップＳ１１１の処理に進む。
【００８１】
ステップＳ１１１において、サブマイコン２５２は、動作モードおよびチャンネルを判断し、判断結果に基づいた命令をＣＥＣ回路２５０に送信させる。動作モードおよびチャンネルは、ステップＳ１０１およびステップＳ１０３で説明した方法と同様の方法で判断できる。また、ステップＳ１１１においてサブマイコン２５２がＣＥＣ回路２５０に送信させる命令は、ステップＳ１０５における命令と同様である。すなわち、サブマイコン２５２は、動作モードが電源オンモードであり、かつ、選択された入力ポートがＨＤＭＩ端子２６０である場合、各子機に第１の頻度でセンサの出力結果を無線送信させるための第１の命令をＣＥＣ回路２５０に送信させる。また、サブマイコン２５２は、動作モードが電源オンモードであり、かつ、選択された入力ポートがＨＤＭＩ端子２６０でない場合、各子機に第１の頻度より低い第２の頻度でセンサの出力結果を無線送信させるための第２の命令をＣＥＣ回路２５０に送信させる。また、サブマイコン２５２は、動作モードがスタンバイモードである場合、各子機に第２の頻度より低い第３の頻度でセンサの出力結果を無線送信させるための第３の命令をＣＥＣ回路２５０に送信させる。
【００８２】
チャンネルに変更がない場合（ステップＳ１０９においてＮｏ）、サブマイコン２５２は、ステップＳ１０７からの処理を繰り返す。
【００８３】
このようにデジタルテレビ１０の電源状態に応じて、子機３６の無線送信頻度を変更するため、子機３６の消費電力、ひいては、モニタシステム１の消費電力を削減することができる。動作モードがスタンバイモードのときは、デジタルテレビ１０により、子機３６の取得したデータをすぐ表示するわけではないので、子機３６の無線送信頻度を最低にする。また、動作モードが電源オンモードであっても、入力ポートがＨＤＭＩ端子２６０でない場合、利用者は、子機３６の出力をすぐには見ようとしていないと考えられる。そこで、この場合、入力ポートがＨＤＭＩ端子２６０である場合に比べ、無線送信頻度を低く設定する。
【００８４】
また、ステップＳ１０７およびステップＳ１０９で動作モードおよびチャンネルの変更を検出し、これらに変更に応じて命令を送信するため、子機３６の無線送信頻度は、常にテレビの状態に対応したものになる。
【００８５】
なお、以上で説明した処理の流れは、一例であって、サブマイコン２５２が行なう処理は、これに限られるわけではない。
【００８６】
例えば、チャンネルの判定処理（ステップＳ１０３およびステップＳ１０９の処理）を省略してもよい。この場合、サブマイコン２５２は、ステップＳ１０５およびステップＳ１１１において、動作モードが電源オンモードである場合、各子機に第１の頻度でセンサの出力結果を無線送信させるための第１の命令をＣＥＣ回路２５０に送信させる。一方、動作モードがスタンバイモードである場合、サブマイコン２５２は、各子機に第１の頻度より低い第２の頻度でセンサの出力結果を無線送信させるための第２の命令をＣＥＣ回路２５０に送信させる。
【００８７】
この構成では、図５に示す方法に比べ、命令の送信方法が容易である。一方、図５に示す方法では、デジタルテレビ１０の動作状態をより細かく反映した命令を送信することができるため、子機３６の消費電力をより削減できる。
【００８８】
（５．命令に応じたモニタシステムの動作）
デジタルテレビ１０が命令を送信したときの、モニタシステム１全体の動作について図６を参照して説明する。図６は、デジタルテレビ１０が命令を送信したときに、モニタシステム１に含まれる各機器が行なう処理の流れを示した図である。
【００８９】
ステップＳ２０１において、デジタルテレビ１０は、親機３２に、子機３６のデータ送信頻度を変更する命令を送信する。デジタルテレビ１０は、図５で説明したように、デジタルテレビ１０の動作モードおよび選局に応じて、送信する命令の内容を決定する。より具体的には、サブマイコン２５２が、動作モードおよび選局を判断し、動作モードおよび選局に応じた命令を送信させるための制御信号をＣＥＣ回路２５０に送る。制御信号を受けたＣＥＣ回路２５０は、ＨＤＭＩ端子２６０およびＨＤＭＩケーブル２０を介して、動作モードおよび選局に応じた命令を親機３２に送信する。
【００９０】
ステップＳ２０３において、親機３２は、ステップＳ２０１においてデジタルテレビ１０が送信した命令を受信する。より具体的には、ＣＥＣ回路４４０は、ＨＤＭＩ端子４５０に送信されてきた命令を受信する。
【００９１】
ステップＳ２０５において、親機３２は、ステップＳ２０３において受信された命令に基づいて作成した命令を無線送信する。より具体的には、マイコン４１０は、メモリ４２０に格納されたプログラムに基づき、ＣＥＣ回路４４０が受信した命令に対応する無線信号を決定し、決定した無線信号を送信させるための制御信号を無線通信回路４３０に送る。制御信号を受けた無線通信回路４３０は、ステップＳ２０３において受信された命令に対応する無線信号を送信する。
【００９２】
ステップＳ２０７において、子機３６は、ステップＳ２０５において親機３２が送信した命令を受信する。より具体的には、無線通信回路５３０は、親機３２からの無線信号を受信する。
【００９３】
ステップＳ２０９において、子機３６は、ステップＳ２０７において受信した命令に基づいて、子機３６が取得したデータの送信頻度を決定する。より具体的には、マイコン５１０は、メモリ５２０に格納されたプログラムに基づき、受信した命令に対応する送信頻度を決定する。
【００９４】
ステップＳ２１１において、子機３６は、ステップＳ２０９において決定された送信頻度にて、取得したデータを無線送信する。例えば、子機３６は、取得したデータをパケットに分割して無線送信する。子機３６がセキュリティセンサ７０であるとして具体的に説明すると、マイコン５１０は、無線通信回路５３０に、データ取得回路５４０がセキュリティセンサ７０から取得したデータを、決定された頻度で送信させる。
【００９５】
ステップＳ２１３において、親機３２は、ステップＳ２１１において子機３６が送信したデータを受信する。より具体的には、無線通信回路４３０は、子機３６からの無線信号を受信する。
【００９６】
ステップＳ２１５において、親機３２は、ステップＳ２１３において受信されたデータを、デジタルテレビ１０に送信する。より具体的には、マイコン４１０は、トランスミッタ４４５に、ステップＳ２１３において受信されたデータに対応するデータ、および、データを送信させるための制御信号を送る。データおよび制御信号を受けたトランスミッタ４４５は、ＨＤＭＩ端子４５０およびＨＤＭＩケーブル２０を介して、デジタルテレビ１０に、データを送信する。
【００９７】
ステップＳ２１７において、デジタルテレビ１０は、ステップＳ２１５において親機３２が送信したデータを受信する。より具体的には、レシーバ２４０は、ＨＤＭＩ端子２６０に送信されてきた親機３２からのデータを受信する。
【００９８】
ステップＳ２１９において、デジタルテレビ１０は、ステップＳ２１９において受信されたデータを表示する。より具体的には、メインマイコン２１０は、受信されたデータに基づく画像データを作成する。そして、メインマイコン２１０は、ＬＶＤＳトランスミッタ２７２を制御して、作成した画像データに基づく画像をディスプレイ２７０に表示させる。
【００９９】
なお、ここでは、親機３２と子機３６とは、中継機３４を介さずに無線通信するものとして説明しているが、もちろん中継機３４を介して無線通信が行なわれてもよい。中継機３４を介して無線通信が行なわれる場合の処理の流れは、ステップＳ２０５とステップＳ２０７との間、ならびに、ステップＳ２１１とステップＳ２１３との間に、中継機３４による中継処理を追加したものになる。
【０１００】
（６．異常検出への応答）
さらに、本実施の形態に係るモニタシステム１は、セキュリティセンサ７０で異常が検出された際に、デジタルテレビ１０で異常を知らせることができるものとする。このような動作を実現するための処理について図７を参照して説明する。図７は、セキュリティセンサ７０で異常が検出されたときに、モニタシステム１に含まれる各機器が行なう処理の流れを示した図である。
【０１０１】
ステップＳ３０１において、セキュリティセンサ７０に含まれるデータ取得回路５４０は、セキュリティセンサ７０から、セキュリティセンサ７０が検知した異常についての情報（異常検知信号）を取得する。異常検知信号は、単に、異常があったことを示すものであってもよいし、異常の種類を示すものであってもよい。
【０１０２】
ステップＳ３０３において、セキュリティセンサ７０は、ステップＳ３０１において取得された異常検知信号に応じて、異常報知信号を送信する。より具体的には、マイコン５１０は、ステップＳ３０１において取得されたデータに基づいて、無線通信回路５３０に、異常報知信号を送信させる。
【０１０３】
ステップＳ３０５において、親機３２に含まれる無線通信回路４３０は、ステップＳ３０３にてセキュリティセンサ７０が送信した異常報知信号を受信する。
【０１０４】
ステップＳ３０７において、親機３２は、デジタルテレビ１０の動作モードを電源モードに切り替えるための起動命令をデジタルテレビ１０に送信する。より具体的には、無線通信回路４３０は、異常報知信号を受信すると、異常報知信号を受信した旨の信号をマイコン４１０に送信する。異常報知信号を受信した旨の信号を無線通信回路４３０から受け取ったマイコン４１０は、起動命令を送信させるための制御信号をＣＥＣ回路４４０に送信する。制御信号を受け取ったＣＥＣ回路４４０は、ＨＤＭＩ端子４５０およびＨＤＭＩケーブル２０を介して、デジタルテレビ１０に起動命令を送信する。
【０１０５】
ステップＳ３０９において、デジタルテレビ１０は、動作モードを電源オンモードにする。すなわち、動作モードがスタンバイモードであった場合、デジタルテレビ１０は、動作モードをスタンバイモードから電源オンモードに切り替える。より具体的には、サブマイコン２５２は、ＨＤＭＩ端子２６０およびＣＥＣ回路２５０を介して起動命令を受信すると、電源回路２５８を制御し、動作モードを電源オンモードにする。本実施の形態では、制御命令で動作モードの種類を指定できる構成になっており、サブマイコン２５２は、動作モードを電源オンモードに設定する制御命令を電源回路２５８に送信するものとする。
【０１０６】
ただし、サブマイコン２５２は、検出回路２１２の検出結果などからモードを判定し、その判定結果とモードの切替信号とを組み合わせて、動作モードを電源オンモードにしてもよい。つまり、動作モードがスタンバイモードであった場合は、デジタルテレビ１０は、モードの切替信号を電源回路２５８に送信する。また、動作モードが電源オンモードであった場合、デジタルテレビ１０は、切替信号を送信しない。
【０１０７】
ステップＳ３０９において、親機３２は、ステップＳ３０７の処理（起動命令の送信）から所定の時間が経過すると、入力ポートをセキュリティセンサ７０が検知した異常をデジタルテレビ１０に表示させるための表示命令をデジタルテレビ１０に送信する。より具体的には、マイコン４１０は、起動命令の送信から所定の時間が経過したか判断し、所定の時間が経過したと判断した場合、ＣＥＣ回路４４０に表示命令を送信させる。
【０１０８】
ステップＳ３１１において、親機３２は、ステップＳ３０７の処理（起動命令の送信）から所定の時間が経過すると、入力ポートをＨＤＭＩ端子２６０に切り替えさせるための選局命令をデジタルテレビ１０に送信する。より具体的には、マイコン４１０は、起動命令の送信から所定の時間が経過したか判断し、所定の時間が経過したと判断した場合、ＣＥＣ回路４４０に選局命令を送信させる。
【０１０９】
なお、ステップＳ３０７の処理とステップＳ３１１の処理との時間間隔は、デジタルテレビ１０が、スタンバイモードから電源オンモードへの切替に要する時間を考慮して設定されるのが好ましい。つまり、デジタルテレビ１０がモードを切り替え終わった後に、親機３２が選局命令を送信するように時間間隔を設定するのが好ましい。ただし、選局命令の送信時に、まだ、デジタルテレビ１０の動作モードが電源オンモードになっている場合もおきえる。そこで、確実にデジタルテレビ１０が、セキュリティセンサ７０の検出した異常を表示するように、親機３２は、選局命令を繰り返し送信するようにしてもよい。
【０１１０】
ステップＳ３１３において、親機３２は、デジタルテレビ１０に異常を知らせる画面を表示させるための表示命令を送信する。
【０１１１】
ステップＳ３１５において、デジタルテレビ１０は、ステップＳ３１３において親機３２が送信した表示命令に応じて、異常を知らせる画面を表示する。より具体的には、メインマイコン２１０は、表示命令に基づいて異常を知らせるための画像データを作成する。そして、メインマイコン２１０は、ＬＶＤＳトランスミッタ２７２を制御して、作成した画像データに基づく画像をディスプレイ２７０に表示させる。
【０１１２】
なお、デジタルテレビ１０は、セキュリティセンサ７０が検知した異常を、画面だけではなく、音声でも表示してもよい。この場合、メインマイコン２１０は、ステップＳ３１５において、アンプ２８２を制御して、スピーカ２８０に異常を知らせる音声を出力させる。
【０１１３】
また、ここでは、デジタルテレビ１０が複数の入力ポートを持つ場合の処理について示したが、デジタルテレビ１０にＨＤＭＩ端子２６０以外の入力ポートがない場合、ステップＳ３１１およびステップＳ３１３の処理は省略される。この場合、ステップＳ３０７における起動命令の送信と、ステップＳ３１５における表示命令の送信との時間間隔は、デジタルテレビ１０がモードを切り替え終わった後に、親機３２が選局命令を送信するように設定されるのが好ましい。
【０１１４】
デジタルテレビ１０が行なう処理について、図８を用いてまとめておく。図８は、デジタルテレビ１０の行なう処理をＣ言語の「ｉｆ」「ｓｗｉｔｃｈ」命令を用いて示した図である。
【０１１５】
まず、デジタルテレビ１０は、電源と選局状態を判断する。そして、電源と選局状態に応じた命令を送信する。
【０１１６】
デジタルテレビ１０がスタンバイモードにある場合（図８に示すコード中の“ｃａｓｅ  ＤＴＶパワーがオフ”）、家電の制御子機（第１の子機３６ａ）や温度監視子機（第２の子機３６ｂ）からのイベント頻度（データ送信頻度）が最小となるような命令を親機３２に送信する。
【０１１７】
デジタルテレビ１０が電源オンモードにあり、かつ、選択されている入力ポートがＨＤＭＩ端子２６０でない場合（図８に示すコード中の“ｃａｓｅ  ＤＴＶパワーがＯＮで選局されていない場合”）、家電の制御子機や温度監視子機からのイベント頻度が中となるような命令を親機３２に送信する。
【０１１８】
デジタルテレビ１０が電源モードにあり、かつ、選択されている入力ポートがＨＤＭＩ端子２６０である場合（図８に示すコード中の“ｃａｓｅ  ＤＴＶパワーがＯＮで選局されている場合”）、家電の制御子機や温度監視子機からのイベント頻度が最大となるような命令を親機３２に送信する。
【０１１９】
また、防犯セキュリティ用子機（第３の子機３６ｃ）からの異常報知信号を受信した場合、デジタルテレビ１０は、動作モードを電源オンモードに切り替え（ＤＴＶのパワーをＯＮ状態に遷移させて）、親機３２からの命令に基づいて入力ポートとしてＨＤＭＩ端子２６０を選局し、映像と音声で異常を通知する。
【０１２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２１】
【図１】本実施の形態に係るモニタシステム１の概要を説明するための模式図である。
【図２】デジタルテレビ１０のハードウェア構成を示すブロック図である。
【図３】デジタルテレビ１０の機能的構成を示すブロック図である。
【図４】無線モジュール群３０のハードウェア構成を示すブロック図である。
【図５】デジタルテレビ１０が行なう処理を示したフローチャートである。
【図６】デジタルテレビ１０が命令を送信したときに、モニタシステム１に含まれる各機器が行なう処理の流れを示した図である。
【図７】セキュリティセンサ７０で異常が検出されたときに、モニタシステム１に含まれる各機器が行なう処理の流れを示した図である。
【図８】デジタルテレビ１０の行なう処理をＣ言語の「ｉｆ」「ｓｗｉｔｃｈ」命令を用いて示した図である。
【符号の説明】
【０１２２】
１  モニタシステム、１０  デジタルテレビ、２０  ＨＤＭＩケーブル、２１  検出回路、２４  中継機、３０  無線モジュール群、３２  親機、３４  中継機、３６  子機、３６ａ  第１の子機、３６ｂ  第２の子機、３６ｃ  第３の子機、４０  家電機器、４０ａ  冷蔵庫、４０ｂ  テレビ、４０ｃ  電子レンジ、４０ｄ  洗濯機、４０ｅ  オーディオ、５０  温度センサ、６０  家屋、７０  セキュリティセンサ、２１０  メインマイコン、２１２  検出回路、２４０  レシーバ、２５０  ＣＥＣ回路、２５２  サブマイコン、２５８  電源回路、２６０  ＨＤＭＩ端子、２７０  ディスプレイ、２７２  ＬＶＤＳトランスミッタ、２８０  スピーカ、２８２  アンプ、２９０  リモコン受光部、２９２  リモコン、３１０  制御部、３２０  出力部、３２２  出力制御部、３３０  入力部、３４０  記憶部、３４２  メインプログラム、３４４  サブプログラム、３４６  動作モード、３４８  ＨＤＭＩ選局、３５０  通信部、３５２  受信部、３５４  送信部、３６０  電源制御部、３７０  電力供給部、４１０  マイコン、４２０  メモリ、４３０  無線通信回路、４４０  ＣＥＣ回路、４４５  トランスミッタ、４５０  ＨＤＭＩ端子、５１０  マイコン、５２０  メモリ、５３０  無線通信回路、５４０  データ取得回路、７１０  異常検知回路、７２０  監視センサ。
【図１】
2009273014.tif 000003
【図２】
2009273014.tif 000004
【図３】
2009273014.tif 000005
【図４】
2009273014.tif 000006
【図５】
2009273014.tif 000007
【図６】
2009273014.tif 000008
【図７】
2009273014.tif 000009
【図８】
2009273014.tif 000010